(57)【要約】【課題】移動体通信端末の具備する記憶部に保存されているデータをサーバの受信データ記憶部に保存する際に、利用者に煩わしい操作をさせることなく、かつ１回の送信データのデータ量を少なくすることが可能な移動体通信端末とその記憶容量管理方法および記憶容量管理システムを提供する。【解決手段】データ解析手段１７は、記憶部１４に保存されている受信データの中でインターネット・サービス・管理サーバに送信すべきデータを選択する。無線制御手段１６が通話の切断を通知する通知をデータ制御手段２１に通知すると、データ制御手段２１はデータ送受信処理部２２を制御して、データ解析手段１７が選択したデータをインターネット・サービス・管理サーバに送信する。【選択図】      図２
2004343412.tif 000002
【特許請求の範囲】
【請求項１】
受信したデータを受信データ記憶部に保存するサーバと通信ネットワークを介して接続可能な移動体通信端末であって、
少なくとも識別情報を含むデータを受信する受信部と、
前記受信部が受信したデータを保存する記憶部と、
前記記憶部に保存されたデータの中から所望の識別情報を含むデータを選択する選択手段と、
前記選択手段が選択したデータを前記サーバに送信する送信部と
を含むことを特徴とする移動体通信端末。
【請求項２】
請求項１に記載の移動体通信端末において、前記選択手段は、前記記憶部に保存されたデータの中からデータのＭＡＣヘッダにある送信指定識別情報を含むデータを選択することを特徴とする移動体通信端末。
【請求項３】
請求項１に記載の移動体通信端末において、前記選択手段は、前記記憶部に保存されたデータの中からデータのＰＤＵデータにある送信指定識別情報を含むデータを選択することを特徴とする移動体通信端末。
【請求項４】
受信したデータを受信データ記憶部に保存するサーバと通信ネットワークを介して接続可能な移動体通信端末であって、
データを受信する受信部と、
前記受信部が受信したデータを保存する複数の受信バッファと、
前記複数の受信バッファのいずれかへのデータの保存の終了に伴い、前記受信バッファに保存されたデータを前記サーバに逐次送信する送信部と
を含むことを特徴とする移動体通信端末。
【請求項５】
受信したデータを受信データ記憶部に保存するサーバと通信ネットワークを介して接続可能な移動体通信端末であって、
データを受信する受信部と、
前記受信部が受信したデータを保存する記憶部と、
前記記憶部に保存されているデータの中から前記サーバに送信すべきデータを選択する選択手段と、
待ち受け状態を開始したことを判定し該待ち受け状態を開始したこと通知する待ち受け通知を行う無線制御手段と、
前記無線制御手段が行う待ち受け通知に応じて、前記選択手段が選択したデータを前記サーバに送信する送信部と
を含むことを特徴とする移動体通信端末。
【請求項６】
受信したデータを受信データ記憶部に保存するサーバと通信ネットワークを介して接続可能な移動体通信端末であって、
データを受信する受信部と、
前記受信部が受信したデータを保存する記憶部と、
前記記憶部に保存されているデータの中から前記サーバに送信すべきデータを選択する選択手段と、
通話が切断されたことを判定し該通話が切断されたことを通知する無線制御手段と、
前記無線制御手段が行う通話が切断されたことの通知に応じて、前記選択手段が選択したデータを前記サーバに送信する送信部と
を含むことを特徴とする移動体通信端末。
【請求項７】
受信したデータを受信データ記憶部に保存するサーバと通信ネットワークを介して接続可能な移動体通信端末であって、
データを受信する受信部と、
前記受信部が受信したデータを保存する記憶部と、
前記記憶部に保存されているデータの中から前記サーバに送信すべきデータを選択する選択手段と、
通話が開始されたことを判定し該通話が開始されたことを通知する無線制御手段と、
前記無線制御手段が行う通知に応じて、前記選択手段が選択したデータを前記サーバに送信する送信部と
を含むことを特徴とする移動体通信端末。
【請求項８】
受信したデータを受信データ記憶部に保存するサーバと通信ネットワークを介して接続可能な移動体通信端末であって、
データを受信する受信部と、
前記受信部が受信したデータを保存する記憶部と、
前記記憶部に保存されているデータの中から前記サーバに送信すべきデータを選択する選択手段と、
現在位置を測定する位置測定手段と、
前記位置測定手段による位置測定が開始されたことを判定し該位置測定が開始されたことを通知する位置測定通知手段と、
前記位置測定通知手段が行う通知に応じて、前記選択手段が選択したデータを前記サーバに送信する送信部と
を含むことを特徴とする移動体通信端末。
【請求項９】
受信したデータを受信データ記憶部に保存するサーバと通信ネットワークを介して接続可能である畳み折り可能な移動体通信端末であって、
データを受信する受信部と、
前記受信部が受信したデータを保存する記憶部と、
前記記憶部に保存されているデータの中から前記サーバに送信すべきデータを選択する選択手段と、
移動体通信端末の畳み折りがされたことを判定し該畳み折りがされたことを通知する開閉検出手段と、
前記開閉検出手段が行う通知に応じて、前記選択手段が選択したデータを前記サーバに送信する送信部と
を含むことを特徴とする移動体通信端末。
【請求項１０】
受信したデータを受信データ記憶部に保存するサーバと通信ネットワークを介して接続可能な移動体通信端末であって、
データを受信する受信部と、
前記受信部が受信したデータを保存する記憶部と、
前記記憶部に保存されているデータの中から前記サーバに送信すべきデータを選択する選択手段と、
前記選択手段が選択したデータを圧縮する符号化部と、
前記符号化部により圧縮されたデータを前記サーバに送信する送信部と
を含むことを特徴とする移動体通信端末。
【請求項１１】
受信したデータを受信データ記憶部に保存するサーバと通信ネットワークを介して接続可能な移動体通信端末であって、
少なくとも圧縮データを受信する受信部と、
前記受信部が受信したデータを保存する記憶部と、
前記記憶部に保存されているデータの中から前記サーバに送信すべき圧縮データを選択する選択手段と、
前記選択手段が選択した圧縮データを解凍し、解凍したデータを所望の圧縮処理により圧縮する符号化復号化部と、
前記符号化復号化部により圧縮されたデータを前記サーバに送信する送信部と
を含むことを特徴とする移動体通信端末。
【請求項１２】
受信したデータを受信データ記憶部に保存するサーバと通信ネットワークを介して接続可能な移動体通信端末であって、
データを受信する受信部と、
前記受信部が受信したデータを保存する記憶部と、
前記記憶部に保存されているデータの中から前記サーバに送信すべきデータを選択する選択手段と、
前記選択手段が選択したデータに識別情報を付加する識別情報付加手段と、
前記識別情報付加手段によって識別情報が付加されたデータを前記サーバに送信する送信部と
を含むことを特徴とする移動体通信端末。
【請求項１３】
請求項１ないし１２のいずれかに記載の移動体通信端末において、
前記受信部が受信したデータの保存場所を示す受信データ保存場所表示画面を表示させる表示用信号を出力する表示管理手段と、
前記表示管理手段が出力する表示用信号に基づき前記受信データ保存場所表示画面を表示する表示部と
をさらに含むことを特徴とする移動体通信端末。
【請求項１４】
請求項１３に記載の移動体通信端末において、前記表示管理手段は、前記受信部が受信したデータを表示するデータ表示部と該データ表示部で表示されたデータの保存先を表示する保存先表示部とを含む受信データ保存場所表示画面を表示させる表示用信号を出力することを特徴とする移動体通信端末。
【請求項１５】
請求項１３に記載の移動体通信端末において、前記表示管理手段は、前記受信部が受信したデータの中で前記受信データ記憶部に保存されているデータを表示する第１の受信データ保存場所表示画面と前記受信部が受信したデータの中で前記記憶部に保存されているデータを表示する第２の受信データ保存場所表示画面とを択一的に表示させる表示用信号を出力することを特徴とする移動体通信端末。
【請求項１６】
受信したデータを受信データ記憶部に保存するサーバと、請求項１ないし１５のいずれかに記載の移動体通信端末とを含むことを特徴とする記憶容量管理システム。
【請求項１７】
受信したデータを受信データ記憶部に保存するサーバと通信ネットワークを介して接続可能な移動体通信端末の記憶容量管理方法であって、
少なくとも識別情報を含むデータを受信する第１のステップと、
前記第１のステップで受信したデータを記憶部に保存する第２のステップと、
前記記憶部に保存されたデータの中から所望の識別情報を含むデータを選択する第３のステップと、
前記第３のステップで選択したデータを前記サーバに送信する第４のステップと
を含むことを特徴とする移動体通信端末の記憶容量管理方法。
【請求項１８】
請求項１７に記載の移動体通信端末の記憶容量管理方法において、前記第３のステップは、前記記憶部に保存されたデータの中からデータのＭＡＣヘッダにある送信指定識別情報を含むデータを選択することを特徴とする移動体通信端末の記憶容量管理方法。
【請求項１９】
請求項１７に記載の移動体通信端末の記憶容量管理方法において、前記第３のステップは、前記記憶部に保存されたデータの中からデータのＰＤＵデータにある送信指定識別情報を含むデータを選択することを特徴とする移動体通信端末の記憶容量管理方法。
【請求項２０】
受信したデータを受信データ記憶部に保存するサーバと通信ネットワークを介して接続可能な移動体通信端末の記憶容量管理方法であって、
データを受信する第１のステップと、
前記第１のステップで受信したデータ複数の受信バッファを保存する第２のステップと、
前記複数の受信バッファのいずれかへのデータの保存の終了に伴い、前記受信バッファに保存されたデータを前記サーバに逐次送信する第３のステップと
を含むことを特徴とする移動体通信端末の記憶容量管理方法。
【請求項２１】
受信したデータを受信データ記憶部に保存するサーバと通信ネットワークを介して接続可能な移動体通信端末の記憶容量管理方法であって、
データを受信する第１のステップと、
前記第１のステップで受信したデータを記憶部に保存する第２のステップと、
前記記憶部に保存されているデータの中から前記サーバに送信すべきデータを選択する第３のステップと、
待ち受け状態を開始したことを判定し該待ち受け状態を開始したこと通知する待ち受け通知を行う第４のステップと、
前記第４のステップで行う待ち受け通知に応じて、前記第３のステップで選択したデータを前記サーバに送信する第５のステップと
を含むことを特徴とする移動体通信端末の記憶容量管理方法。
【請求項２２】
受信したデータを受信データ記憶部に保存するサーバと通信ネットワークを介して接続可能な移動体通信端末の記憶容量管理方法であって、
データを受信する第１のステップと、
前記第１のステップで受信したデータを記憶部に保存する第２のステップと、
前記記憶部に保存されているデータの中から前記サーバに送信すべきデータを選択する第３のステップと、
通話が切断されたことを判定し該通話が切断されたことを通知する第４のステップと、
前記第４のステップで行う通話が切断されたことの通知に応じて、前記第３のステップで選択したデータを前記サーバに送信する第５のステップと
を含むことを特徴とする移動体通信端末の記憶容量管理方法。
【請求項２３】
受信したデータを受信データ記憶部に保存するサーバと通信ネットワークを介して接続可能な移動体通信端末の記憶容量管理方法であって、
データを受信する第１のステップと、
前記受信部が受信したデータを記憶部に保存する第２のステップと、
前記記憶部に保存されているデータの中から前記サーバに送信すべきデータを選択する第３のステップと、
通話が開始されたことを判定し該通話が開始されたことを通知する第４のステップと、
前記第４のステップで行う通知に応じて、前記第３のステップで選択したデータを前記サーバに送信する第５のステップと
を含むことを特徴とする移動体通信端末の記憶容量管理方法。
【請求項２４】
受信したデータを受信データ記憶部に保存するサーバと通信ネットワークを介して接続可能な移動体通信端末の記憶容量管理方法であって、
データを受信する第１のステップと、
前記第１のステップで受信したデータを記憶部に保存する第２のステップと、
前記記憶部に保存されているデータの中から前記サーバに送信すべきデータを選択する第３のステップと、
位置測定手段による現在位置測定が開始されたことを判定し該位置測定が開始されたことを通知する第４のステップと、
前記第４のステップで行う通知に応じて、前記第３のステップで選択したデータを前記サーバに送信する第５のステップと
を含むことを特徴とする移動体通信端末の記憶容量管理方法。
【請求項２５】
受信したデータを受信データ記憶部に保存するサーバと通信ネットワークを介して接続可能である畳み折り可能な移動体通信端末の記憶容量管理方法であって、
データを受信する第１のステップと、
前記第１のステップで受信したデータを記憶部に保存する第２のステップと、
前記記憶部に保存されているデータの中から前記サーバに送信すべきデータを選択する第３のステップと、
移動体通信端末の畳み折りがされたことを判定し該畳み折りがされたことを通知する第４のステップと、
前記第４のステップで行う通知に応じて、前記第３のステップで選択したデータを前記サーバに送信する第５のステップと
を含むことを特徴とする移動体通信端末の記憶容量管理方法。
【請求項２６】
受信したデータを受信データ記憶部に保存するサーバと通信ネットワークを介して接続可能な移動体通信端末の記憶容量管理方法であって、
データを受信する第１のステップと、
前記第１のステップで受信したデータを記憶部に保存する第２のステップと、
前記記憶部に保存されているデータの中から前記サーバに送信すべきデータを選択する第３のステップと、
前記第３のステップで選択したデータを圧縮する第４のステップと、
前記第４のステップで圧縮したデータを前記サーバに送信する第５のステップと
を含むことを特徴とする移動体通信端末の記憶容量管理方法。
【請求項２７】
受信したデータを受信データ記憶部に保存するサーバと通信ネットワークを介して接続可能な移動体通信端末の記憶容量管理方法であって、
少なくとも圧縮データを受信する第１のステップと、
前記第１のステップで受信したデータを記憶部に保存する第２のステップと、
前記記憶部に保存されているデータの中から前記サーバに送信すべき圧縮データを選択する第３のステップと、
前記第３のステップで選択した圧縮データを解凍し、解凍したデータを所望の圧縮処理により圧縮する第４のステップと、
前記第４のステップで圧縮したデータを前記サーバに送信する第５のステップと
を含むことを特徴とする移動体通信端末の記憶容量管理方法。
【請求項２８】
受信したデータを受信データ記憶部に保存するサーバと通信ネットワークを介して接続可能な移動体通信端末の記憶容量管理方法であって、
データを受信する第１のステップと、
前記第１のステップで受信したデータを記憶部に保存する第２のステップと、
前記記憶部に保存されているデータの中から前記サーバに送信すべきデータを選択する第３のステップと、
前記第３のステップで選択したデータに識別情報を付加する第４のステップと、
前記第４のステップで識別情報が付加されたデータを前記サーバに送信する第５のステップと
を含むことを特徴とする移動体通信端末の記憶容量管理方法。
【請求項２９】
請求項１７ないし２８のいずれかに記載の移動体通信端末の記憶容量管理方法において、前記第１のステップで受信したデータの保存場所を示す受信データ保存場所表示画面を表示する表示ステップをさらに含むことを特徴とする移動体通信端末の記憶容量管理方法。
【請求項３０】
請求項２９に記載の移動体通信端末の記憶容量管理方法において、前記表示ステップは、前記第１のステップで受信したデータを表示するデータ表示部と該データ表示部で表示されたデータの保存先を表示する保存先表示部とを含む受信データ保存場所表示画面を表示することを特徴とする移動体通信端末の記憶容量管理方法。
【請求項３１】
請求項２９に記載の移動体通信端末の記憶容量管理方法において、前記表示ステップは、前記第１のステップで受信したデータの中で前記受信データ記憶部に保存されているデータを表示する第１の受信データ保存場所表示画面と前記第１のステップで受信したデータの中で前記記憶部に保存されているデータを表示する第２の受信データ保存場所表示画面とを択一的に表示することを特徴とする移動体通信端末の記憶容量管理方法。
【発明の詳細な説明】
【０００１】
【発明の属する技術分野】
本発明は、受信したデータを受信データ記憶部に保存するサーバと通信ネットワークを介して接続可能な移動体通信端末とその記憶容量管理方法および記憶容量管理システムに関する。
【０００２】
【従来の技術】
近年、ユビキタス・ネットが作り出す高速アクセス・サービスが市場に普及し始めている。このサービスの登場により、圧倒的な情報量のコンテンツを各通信機器がいつでも、かつ、どこにいても受信できる環境を作り出すことが可能となった。
【０００３】
このため、各通信機器が受信可能となる情報量の制限が取り払われることで、音楽または映像またはゲームなどの通信機器に配信されるコンテンツの質が高まり、また、電子商取引などで通信機器に届けられるコンテンツの質も高まる。したがって、ユーザは、いわゆる「リッチ・コンテンツ」をいつでも手に入れられるようになる。
【０００４】
また、ユビキタス・ネットの普及により各通信機器が受信可能となる情報量の制限が取り払われることは、各通信機器が送信できる情報量の制限が取り払われることを意味する。各通信機器が送信可能となる情報量の制限が取り払われることで、様々な場所で、各通信機器が何らかの情報を常に発信し続けることが可能になる環境が整うことになる。
【０００５】
例えば、携帯電話機などの移動体通信端末は、単に音声通信を行うだけでなく、映像データ通信や高速データ通信などが可能となり、マルチメディア化が進んでいる。このため、移動体通信端末は、インターネットに接続できる機能など、様々な付加機能が備わっている。また、移動体通信端末は、送信データと受信データの保存を実現するために、ＲＡＭやフラッシュメモリなどの記憶部を有している。
【０００６】
図１３は、従来の移動体通信端末を示したブロック図である。以下、図１３を参照して従来の移動体通信端末について説明する。
【０００７】
移動体通信端末は、図１３に示すように、アンテナ１１０と、送受信部１１１と、符号化／復号化部１１２と、入出力部１１３と、記憶部１１４と、制御部１２０とを含む。
【０００８】
アンテナ１１０および送受信部１１１は、移動体通信端末が採用する通信方式に基づいて電波の送信と受信を行う。アンテナ１１０および送受信部１１１は、例えば、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式に基づいて電波の送受信を行う。
【０００９】
Ｗ−ＣＤＭＡ方式の通信を行う場合、送受信部１１１は、分離結合器、発振器、ＰＬＬ（Ｐｈａｓｅ  Ｌｏｃｋｅｄ  Ｌｏｏｐ）、変復調部、ベースバンド信号処理を行う拡散・逆拡散器およびＲａｋｅ（レイク）受信器などから構成される。
【００１０】
符号化／復号化部１１２は、送信データの符号化と受信データの復号化を行う。具体的には、符号化／復号化部１１２は、移動体通信端末が採用する通信方式または送信データのフォーマットに応じた符号化方式および受信データのフォーマットに応じた復号化方式を用いることによって、送受信データの符号化および復号化を行う。
【００１１】
符号化／復号化部１１２が用いる符号化方式および復号化方式としては、例えば、送信データまたは受信データが音声通話用のデータであれば、ＰＣＭ（Ｐｕｌｓｅ  Ｃｏｄｅ  Ｍｏｄｕｌａｔｉｏｎ）またはＡＭＲ（Ａｄａｐｔｉｖｅ  Ｍｕｌｔｉ  Ｒａｔｅ）が用いられる。
【００１２】
また、送信データまたは受信データがマルチメディア通信用のデータであれば、符号化／復号化部１１２が用いる符号化方式および復号化方式として、３ＧＰＰ（３ｒｄ  Ｇｅｎｅｒａｔｉｏｎ  Ｐａｒｔｎｅｒｓｈｉｐ  Ｐｒｏｊｅｃｔ）のマルチメディア通信端末標準３Ｇ−３２４Ｍ、ＩＴＵ−Ｔ勧告Ｈ．２６３、ＭＰＥＧ−４またはＭＰＥＧ−２などが用いられる。
【００１３】
符号化／復号化部１１２は、様々な符号化および復号化方式を選択することによりさまざまな符号化処理および復号化処理を行う。なお、送信データと受信データの中には、符号化／復号化部１１２での処理を必要としないデータもある。
【００１４】
記憶部１１４は、送信データと受信データとを保存する。記憶部１１４としては、例えば、ＲＯＭ、ＲＡＭ、ＩＣカード、メモリカード、著作権保護機能つきメモリカードまたはディスク装置などが用いられる。
【００１５】
入出力部１１３は、移動体通信端末における外部インターフェースの機能を担う。入出力部１１３としては、例えば、マイク、スピーカなどの通話装置、ＬＣＤをはじめとする表示装置、ＣＣＤカメラをはじめとする入力装置、データ通信用インターフェースであるＵＳＢ（Ｕｎｉｖｅｒｓａｌ  Ｓｅｒｉａｌ  Ｂｕｓ）、ＩＥＥＥ１３９４またはＢｌｕｅｔｏｏｔｈなどが用いられる。
【００１６】
制御部１２０は、移動体通信端末における各種の処理を制御する。具体的には、制御部１２０は、通信に関する制御を行う無線制御手段１１６と、無線制御手段１１６が制御する以外の移動体通信端末内の制御を行うデータ制御手段１１５とを含む。
【００１７】
次に、上記構成からなる従来の移動体通信端末におけるデータ受信時の処理動作について説明する。
【００１８】
無線制御手段１１６は、特定の周波数のデータを受信させるようにアンテナ１１０および送受信部１１１を制御する。この制御により、アンテナ１１０は外部の通信機器から発信された特定のデータを受信し、受信した特定のデータを送受信部１１１に送信する。送受信部１１１は、アンテナ１１０が受信した特定のデータを符号化／復号化部１１２に送信する。
【００１９】
符号化／復号化部１１２は、データ制御手段１１５による復号化制御に基づき、送受信部１１１から受信したデータに対して復号化処理を施す。
【００２０】
符号化／復号化部１１２は、復号化処理を施した受信データを入出力部１１３に送信する。入出力部１１３は、復号化処理が施されたデータを出力する。
【００２１】
また、符号化／復号化部１１２は、復号化処理を施した受信データを記憶部１１４に送信する。記憶部１１４は、復号化処理が施された受信データを保存する。
【００２２】
このように、従来の移動体通信端末は、無線制御手段１１６とデータ制御手段１１５との制御に基づき外部の通信機器から発信されたデータを受信し、受信したデータを記憶部１１４に保存していた。
【００２３】
しかし、記憶部１１４の記憶容量は固定値であるため、移動体通信端末は記憶部１１４の空き容量以上のデータを取得することができない。
【００２４】
したがって、記憶部１１４の空き容量以上のデータを取得するには、ユーザは記憶部１１４に保存してあるデータの中から重要度の低いデータを選別し、選別したデータを削除し、記憶部１１４の空き容量を増やしてからデータを取得しなければならない。
【００２５】
上記問題を解消する従来技術として、移動体通信端末の具備する記憶部１１４に保存されているデータをＷｅｂサーバが有する大容量記憶装置等に保存することで、移動体通信端末の具備する記憶部１１４に保存されているデータを削除することなく、記憶部１１４の空き容量を確保する方法がある。
【００２６】
図１４は、移動体通信端末の具備する記憶部に保存されているデータをサーバが有する大容量記憶装置に保存する方法を説明するためのシーケンス図である。
【００２７】
以下、図１４を参照して、移動体通信端末の具備する記憶部に保存されているデータをサーバが有する大容量記憶装置に保存する方法を詳細に説明する。
【００２８】
図１４において、移動体通信端末の具備する記憶部に保存されているデータをサーバが有する大容量記憶装置に保存するシステムは、移動体通信端末（携帯電話機等）１００と移動通信網２００とインターネット・サービス・管理サーバ３００とを含む。また、インターネット・サービス・管理サーバ３００は、大容量記憶装置としての受信データ記憶部（図示しない）を有する。
【００２９】
利用者は、移動体通信端末１００の具備する記憶部（図示しない）に保存されているデータの中から移動すべきデータとしての所望のデータを選択する（ステップＳ１４１）。次に、選択したデータを、移動通信網２００を介してインターネット・サービス・管理サーバ３００に送信する（ステップＳ１４２、Ｓ１４３）。
【００３０】
インターネット・サービス・管理サーバ３００は、受信したデータをインターネット・サービス・管理サーバ３００の具備する受信データ記憶部に保存する（ステップＳ１４４）。
【００３１】
利用者は、ステップＳ１４１で選択したデータを移動体通信端末１００の具備する記憶部から削除する（ステップＳ１４５）。
【００３２】
しかしながら、図１４に示したシステムでは、移動体通信端末の具備する記憶部のデータをインターネット・サービス・管理サーバに保存する際に、移動データを選択しかつ送信するという煩わしい操作を利用者が行う必要があるという問題があった。
【００３３】
特許文献１（特開２００２−３３０２２３号公報）には、上記問題を解決することが可能な電話機能付き携帯録音装置が記載されている。
【００３４】
特許文献１に記載された電話機能付き携帯録音装置は、電話機能付き携帯録音装置が内蔵するメモリーの空き容量が少なくなった場合、メモリーに保存されているデータを自動的にネットワーク上のデータサーバに送信し、送信したデータをデータサーバに保存させるので、データを選択し送信するという煩わしい操作を利用者が行う必要がなくなる。
【００３５】
【特許文献１】
特開２００２−３３０２２３号公報
【００３６】
【発明が解決しようとする課題】
特許文献１に記載された電話機能付き携帯録音装置は、内蔵するメモリーの空き容量が少なくなるまで記録内容をデータサーバに送信せず、内蔵するメモリーの空き容量が少なくなったときに、メモリーに記録してあるすべての記録内容をデータサーバに送信するので、１回の送信データ量が多くなってしまうという問題があった。
【００３７】
また、データサーバに記録内容を送信する際、データサーバに保存する必要のない記録内容まで送信する。したがって、本来送信する必要のない記録の送信のため１回の送信データ量が多くなってしまうという問題もあった。
【００３８】
なお、１回の送信データ量が多くなってしまうと、通信回線の混雑を引き起こしてしまうという問題が生じる。
【００３９】
本発明は上記事情に鑑みてなされたものであり、利用者に煩わしい操作をさせることなく、かつ１回の送信データ量を少なくすることが可能な移動体通信端末とその記憶容量管理方法および記憶容量管理システムを提供することである。
【００４０】
【課題を解決するための手段】
上記目的を達成するために、本発明の移動体通信端末およびその記憶容量管理方法は、受信したデータを受信データ記憶部に保存するサーバと通信ネットワークを介して接続可能な移動体通信端末であって、少なくとも識別情報を含むデータを受信部で受信し、受信したデータを記憶部に保存し、記憶部に保存されたデータの中から所望の識別情報を含むデータを選択手段で選択し、選択したデータを送信部がサーバに送信することを特徴とする。
【００４１】
上記の発明によれば、記憶部に保存された受信データの中から所望の識別情報を含むデータのみがサーバに自動的に送信されるので、利用者に煩わしい操作をさせることなく、かつ記憶部に保存されたすべての受信データをサーバに送信する場合に比べて、サーバに送信するデータの量を少なくすることが可能となる。
【００４２】
また、所望の識別情報を適宜設定することにより、サーバの受信データ記憶部に保存すべきデータを適宜選択可能となる。
【００４３】
また、本発明の移動体通信端末とその記憶容量管理方法は、記憶部に保存されたデータの中からデータのＭＡＣヘッダにある送信指定識別情報を含むデータを選択する、または記憶部に保存されたデータの中からデータのＰＤＵデータにある送信指定識別情報を含むデータを選択する。
【００４４】
上記の発明によれば、上記の効果に加えて、３ＧＰＰに対応したデータのみをサーバの受信データ記憶部に保存することが可能となる。
【００４５】
また、本発明の移動体通信端末およびその記憶容量管理方法は、受信したデータを受信データ記憶部に保存するサーバと通信ネットワークを介して接続可能な移動体通信端末であって、データを受信部で受信し、受信したデータを複数の受信バッファに保存し、複数の受信バッファのいずれかへのデータの保存の終了に伴い、受信バッファに保存されたデータを送信部がサーバに逐次送信することを特徴とする。
【００４６】
上記の発明によれば、複数の受信バッファを有しているので、受信するデータの取りこぼしが発生しにくくなる。
【００４７】
また、複数の受信バッファのいずれかへのデータの保存の終了に伴い、受信バッファに保存されたデータを受信データ記憶部に保存するために該データをサーバに逐次送信するので、移動体通信端末は、データを受信するたびに受信したデータをサーバに逐次送信できる。
【００４８】
したがって、従来のように移動体通信端末が有する記憶部の空き容量が記憶限界容量に近くなったときに記憶部に記録してあるすべての記録内容をサーバに自動的に送信する場合に比べて、１回の送信データ量を少なくすることが可能となる。
【００４９】
また、本発明の移動体通信端末およびその記憶容量管理方法は、受信したデータを受信データ記憶部に保存するサーバと通信ネットワークを介して接続可能な移動体通信端末であって、データを受信部が受信し、受信したデータを記憶部に保存し、記憶部に保存されているデータの中からサーバに送信すべきデータを選択手段が選択し、待ち受け状態を開始したことを判定し該待ち受け状態を開始したこと通知する待ち受け通知を無線制御手段が行い、選択したデータを送信部が待ち受け通知に応じてサーバに送信することを特徴とする。
【００５０】
上記の発明によれば、待ち受け動作の開始に応じてサーバへのデータの送信が実行されるので、記憶部の空き容量が記憶限界容量になる前に記憶部に保存されているデータをサーバに送信可能となる。したがって、従来のように移動体通信端末が有する記憶部の空き容量が記憶限界容量に近くなったときに記憶部に記録してあるすべての記録内容をサーバに自動的に送信する場合に比べて、１回の送信データ量を少なくすることが可能となる。
【００５１】
また、待ち受け動作が開始するということは、移動体通信端末が行う通話処理または受信処理が実行されていないことを示すので、サーバへのデータの送信処理と、通話処理または受信処理とが重ならず、移動体通信端末において処理が一時的に増大することを防止可能となる。
【００５２】
また、本発明の移動体通信端末およびその記憶容量管理方法は、受信したデータを受信データ記憶部に保存するサーバと通信ネットワークを介して接続可能な移動体通信端末であって、データを受信部が受信し、受信したデータを記憶部で保存し、記憶部に保存されているデータの中からサーバに送信すべきデータを選択手段が選択し、通話が切断されたことを判定し該通話が切断されたことを無線制御手段が通知し、選択したデータを通話が切断されたことの通知に応じて送信部がサーバに送信することを特徴とする。
【００５３】
上記の発明によれば、通話の切断に応じてサーバへのデータの送信が実行されるので、記憶部の空き容量が記憶限界容量になる前に記憶部に保存されているデータをサーバに送信可能となる。したがって、従来のように移動体通信端末が有する記憶部の空き容量が記憶限界容量に近くなったときに記憶部に記録してあるすべての記録内容をサーバに自動的に送信する場合に比べて、１回の送信データ量を少なくすることが可能となる。
【００５４】
また、通話が切断するということは、移動体通信端末が行う通話処理または受信処理が実行されていないことを示すので、サーバへのデータの送信処理と、通話処理または受信処理とが重ならず、移動体通信端末において処理が一時的に増大することを防止可能となる。
【００５５】
また、本発明の移動体通信端末およびその記憶容量管理方法は、受信したデータを受信データ記憶部に保存するサーバと通信ネットワークを介して接続可能な移動体通信端末であって、データを受信部が受信し、受信したデータを記憶部に保存し、記憶部に保存されているデータの中からサーバに送信すべきデータを選択手段が選択し、通話が開始されたことを判定し該通話が開始されたことを無線制御手段が通知し、選択したデータを送信部が該通知に応じてサーバに送信することを特徴とする。
【００５６】
上記の発明によれば、通話の開始に応じてサーバへのデータの送信が実行されるので、記憶部の空き容量が記憶限界容量になる前に記憶部に保存されているデータをサーバに送信可能となる。したがって、従来のように移動体通信端末が有する記憶部の空き容量が記憶限界容量に近くなったときに記憶部に記録してあるすべての記録内容をサーバに自動的に送信する場合に比べて、１回の送信データ量を少なくすることが可能となる。
【００５７】
また、本発明の移動体通信端末およびその記憶容量管理方法は、受信したデータを受信データ記憶部に保存するサーバと通信ネットワークを介して接続可能な移動体通信端末であって、データを受信部が受信し、受信したデータを記憶部に保存し、記憶部に保存されているデータの中からサーバに送信すべきデータを選択手段が選択し、位置測定手段による現在位置測定が開始されたことを判定し該位置測定が開始されたことを位置測定通知手段が通知し、選択したデータを該通知に応じて送信部がサーバに送信することを特徴とする。
【００５８】
上記の発明によれば、位置測定の開始に応じてサーバへのデータの送信が実行されるので、記憶部の空き容量が記憶限界容量になる前に記憶部に保存されているデータをサーバに送信可能となる。したがって、従来のように移動体通信端末が有する記憶部の空き容量が記憶限界容量に近くなったときに記憶部に記録してあるすべての記録内容をサーバに自動的に送信する場合に比べて、１回の送信データ量を少なくすることが可能となる。
【００５９】
また、本発明の移動体通信端末およびその記憶容量管理方法は、受信したデータを受信データ記憶部に保存するサーバと通信ネットワークを介して接続可能である畳み折り可能な移動体通信端末であって、データを受信部が受信し、受信したデータを記憶部に保存し、記憶部に保存されているデータの中からサーバに送信すべきデータを選択手段が選択し、移動体通信端末の畳み折りがされたことを判定し該畳み折りがされたことを開閉検出手段が通知し、選択したデータを送信部が該通知に応じてサーバに送信することを特徴とする。
【００６０】
上記の発明によれば、移動体通信端末の畳み折りに応じてサーバへのデータの送信が実行されるので、記憶部の空き容量が記憶限界容量になる前に記憶部に保存されているデータをサーバに送信可能となる。したがって、従来のように移動体通信端末が有する記憶部の空き容量が記憶限界容量に近くなったときに記憶部に記録してあるすべての記録内容をサーバに自動的に送信する場合に比べて、１回の送信データ量を少なくすることが可能となる。
【００６１】
また、移動体通信端末が畳み折られるということは、移動体通信端末が行う通話処理または受信処理が実行されていないことを示すので、サーバへのデータの送信処理と、通話処理または受信処理とが重ならず、移動体通信端末において処理が一時的に増大することを防止可能となる。
【００６２】
また、本発明の移動体通信端末およびその記憶容量管理方法は、受信したデータを受信データ記憶部に保存するサーバと通信ネットワークを介して接続可能な移動体通信端末であって、データを受信部で受信し、受信したデータを記憶部に保存し、記憶部に保存されているデータの中からサーバに送信すべきデータを選択手段が選択し、選択したデータを符号化部で圧縮し、圧縮したデータを送信部がサーバに送信することを特徴とする。
【００６３】
上記の発明によれば、記憶部に保存された受信データを圧縮し、圧縮した受信データをサーバに送信するので、記憶部に保存されたすべての受信データを圧縮せずにサーバに送信する場合に比べて、サーバに送信するデータの量を少なくすることが可能となる。また、圧縮したデータをサーバに送信するので、サーバへのデータ送信のトラフィックを削減できる。
【００６４】
また、本発明の移動体通信端末およびその記憶容量管理方法は、受信したデータを受信データ記憶部に保存するサーバと通信ネットワークを介して接続可能な移動体通信端末であって、少なくとも圧縮データを受信部で受信し、受信したデータを記憶部に保存し、記憶部に保存されているデータの中からサーバに送信すべき圧縮データを選択手段が選択し、選択した圧縮データを解凍するとともに解凍したデータを所望の圧縮処理により圧縮し、圧縮されたデータを送信部がサーバに送信することを特徴とする。
【００６５】
上記の発明によれば、記憶部に保存された受信データを圧縮し、圧縮した受信データをサーバに送信するので、記憶部に保存されたすべての受信データを圧縮せずにサーバに送信する場合に比べて、サーバに送信するデータの量を少なくすることが可能となる。また、圧縮したデータをサーバに送信するので、サーバへのデータ送信のトラフィックを削減できる。
【００６６】
また、所望の圧縮処理により圧縮したデータをサーバに送信するので、サーバへのデータ送信のトラフィックを削減でき、サーバの受信データ記憶部への保存に適した圧縮処理により圧縮したデータをサーバに送信可能となる。
【００６７】
また、本発明の移動体通信端末およびその記憶容量管理方法は、受信したデータを受信データ記憶部に保存するサーバと通信ネットワークを介して接続可能な移動体通信端末であって、データを受信部で受信し、受信したデータを記憶部に保存し、記憶部に保存されているデータの中からサーバに送信すべきデータを選択手段が選択し、選択したデータに識別情報付加手段が識別情報を付加し、識別情報が付加されたデータを送信部がサーバに送信することを特徴とする。
【００６８】
上記の発明によれば、サーバに送信するデータに識別情報を付加しているので、サーバの受信データ記憶部に保存したデータを移動体通信端末が取得したときに、取得したデータを再びサーバの受信データ記憶部に保存するか否かを該識別情報により識別することが可能となる。したがって、取得したデータを再びサーバに送信する際のデータ量を削減可能となる。
【００６９】
また、本発明の移動体通信端末およびその記憶容量管理方法は、上記移動体通信端末において、受信したデータの保存場所を示す受信データ保存場所表示画面を表示させる表示用信号を表示管理手段が出力し、表示用信号に基づき受信データ保存場所表示画面を表示部が表示することを特徴とする。
【００７０】
上記の発明によれば、受信したデータの保存場所を示す受信データ保存場所表示画面を表示するので、受信したデータの保存場所を容易に確認することが可能となり、利用者の利便性が向上する。
【００７１】
また、本発明の移動体通信端末およびその記憶容量管理方法は、受信部が受信したデータを表示するデータ表示部と該データ表示部で表示されたデータの保存先を表示する保存先表示部とを含む受信データ保存場所表示画面を表示することが望ましい。
【００７２】
また、本発明の移動体通信端末およびその記憶容量管理方法は、受信部が受信したデータの中で受信データ記憶部に保存されているデータを表示する第１の受信データ保存場所表示画面と受信部が受信したデータの中で記憶部に保存されているデータを表示する第２の受信データ保存場所表示画面とを択一的に表示することが望ましい。
【００７３】
また、本発明の記憶容量管理システムは、受信したデータを受信データ記憶部に保存するサーバと上記移動体通信端末とを含むので、上記と同様の効果を奏する。
【００７４】
【発明の実施の形態】
以下、本発明の実施の形態を図面に示す一実施例に基づき説明する。
【００７５】
図１は、本発明の一実施例の移動体通信端末とそれを備えた記憶容量管理システムを示したブロック回路図である。
【００７６】
図１において、記憶容量管理システムは、移動体通信端末１と、移動通信網２を介して移動体通信端末１と接続可能なインターネット・サービス・管理サーバ３とを含む。
【００７７】
携帯電話機等の移動体通信端末１は、データ制御部４と、データの受信処理を行うデータ受信処理部５と、データの送信処理を行うデータ送信処理部６と、記憶部１４とを含み、通信ネットワークとしての移動通信網２を介してインターネット・サービス・管理サーバ３と接続可能である。移動通信網２は、移動体通信端末１を公衆回線に接続するためのシステムである。
【００７８】
サーバとしてのインターネット・サービス・管理サーバ３は、受信データを保存するための受信データ記憶部３ａを含み、受信したデータを受信データ記憶部３ａに保存する。インターネット・サービス・管理サーバ３は、移動通信網２とインターネット網（図示しない）とに接続可能である。なお、インターネット・サービス・管理サーバ３として、パーソナルコンピュータまたはワークステーション等の情報処理装置を用いてもよい。
【００７９】
次に、本実施例の概要を説明する。
【００８０】
データ受信処理部５は、移動通信網２から種々のデータを受信し、受信したデータを記憶部１４に保存する。
【００８１】
データ制御部４は、データ送信処理部６を制御することにより、利用者に意識させることなく、記憶部１４に保存されているデータを移動通信網２を介してインターネット・サービス・管理サーバ３に自動的に送信する。インターネット・サービス・管理サーバ３は、移動体通信端末１から送信されたデータを受信すると、受信したデータを受信データ記憶部３ａに保存する。
【００８２】
本実施例によれば、利用者が特別な操作をすることなく、記憶部１４に保存されたデータをインターネット・サービス・管理サーバ３が有する受信データ記憶部３ａに保存することが可能となる。
【００８３】
次に、本発明にかかる実施の形態について詳細に説明する。
【００８４】
図２は、図１に示した移動体通信端末１の一例を示したブロック図である。
【００８５】
図２において、移動体通信端末１は、データ送受信処理部２２と入出力部１３と記憶部１４と制御部１５とを含む。
【００８６】
データ送受信処理部２２は、アンテナ１０と送受信部１１と符号化／復号化部１２とを含む。なお、データ送受信処理部２２は、図１に示したデータ受信処理部５とデータ送信処理部６とに対応する。つまり、データ送受信処理部２２は、移動通信網２から種々のデータを受信し、受信したデータを記憶部１４に保存する。また、データ送受信処理部２２は、記憶部１４に保存されているデータを移動通信網２を介してインターネット・サービス・管理サーバ３へ送信する。
【００８７】
制御部１５は、無線制御手段１６とデータ解析手段１７と開閉検出手段１８と位置測定通知手段１９と位置測定手段１９ａと表示管理手段２０とデータ制御手段２１とを含む。なお、制御部１５は、図１に示したデータ制御部４に対応する。
【００８８】
データ送受信処理部２２とデータ制御手段２１とで、識別情報を含むデータと識別情報を含まないデータと圧縮データと非圧縮データとを受信する受信部としての送受信手段２３を構成する。
【００８９】
また、データ送受信処理部２２とデータ制御手段２１とで、選択手段としてのデータ解析手段１７が記憶部１４に保存されているデータの中から選択したインターネット・サービス管理サーバ３に送信すべきデータをインターネット・サービス管理サーバ３に送信する送信部としての送受信手段２３を構成する。
【００９０】
アンテナ１０および送受信部１１は、移動体通信端末１が採用する通信方式に基づいて電波の送受信を行う。アンテナ１０および送受信部１１は、例えば、Ｗ−ＣＤＭＡ方式に基づいて電波の送受信を行う。なお、アンテナ１０と送受信部１１とで、符号化／復号化部１２が出力するデータを送信する送信部を構成する。
【００９１】
移動体通信端末１がＷ−ＣＤＭＡ方式の通信を行う場合、送受信部１１は、分離結合器、発振器、ＰＬＬ、変復調部、及びベースバンド信号処理を行う拡散・逆拡散器、Ｒａｋｅ受信器などから構成される。
【００９２】
符号化／復号化部１２は、送受信データの符号化および復号化を行う。具体的には、符号化／復号化部１２は、移動体通信端末１が採用する通信方式または送受信データのフォーマットに応じた符号化方式および復号化方式に基づき、送信データの符号化と受信データの復号化を行う。
【００９３】
符号化／復号化部１２が用いる符号化方式および復号化方式としては、例えば、送受信データが音声通話用のデータであれば、ＰＣＭまたはＡＭＲが用いられる。また、送受信データがマルチメディア通信用のデータであれば、符号化／復号化部１２が用いる符号化方式および復号化方式として、３Ｇ−３２４Ｍ、Ｈ．２６３、ＭＰＥＧ−４またはＭＰＥＧ−２などが用いられる。
【００９４】
符号化／復号化部１２は、様々な符号化方式および復号化方式に基づき、符号化処理と復号化処理とを行う。
【００９５】
また、符号化／復号化部１２は、記憶部１４に保存されているデータの中からインターネット・サービス管理サーバ３に送信すべきデータとしてデータ解析手段１７が選択したデータを圧縮し、圧縮したデータを送受信部１１に出力する。
【００９６】
また、符号化／復号化部１２は、記憶部１４に保存されているデータの中からインターネット・サービス管理サーバ３に送信すべきデータとしてデータ解析手段１７が選択した圧縮データを解凍し、解凍したデータを所望の圧縮処理により圧縮し、圧縮したデータを送受信部１１に出力する。
【００９７】
送受信部１１は、符号化／復号化部１２が出力する圧縮したデータおよび非圧縮データをアンテナ１０から移動通信網２を介してインターネット・サービス管理サーバ３に送信する。
【００９８】
なお、符号化／復号化部１２での処理を必要としない送信データおよび受信データもある。符号化／復号化部１２は、符号化／復号化部１２での処理を必要としない送受信データに対して符号化処理または復号化処理を行わない。
【００９９】
入出力部１３は、移動体通信端末１における外部インターフェースの機能を担う。入出力部１３としては、例えば、マイク、スピーカなどの通話装置、ＬＣＤ等の表示装置、ＣＣＤカメラ等の入力装置、また、データ通信用インターフェースであるＵＳＢ、ＩＥＥＥ１３９４、Ｂｌｕｅｔｏｏｔｈなどが用いられる。なお、本実施例では、入出力部１３として表示部を用いるものとする。
【０１００】
記憶部１４には、送受信手段２３が受信したデータが保存される。また、記憶部１４には、送受信手段２３から送信されたデータが保存される。なお、記憶部１４としては、例えば、ＲＯＭ、ＲＡＭ、ＩＣカード、メモリカード、著作権保護機能つきメモリカード、ディスク装置などが用いられる。
【０１０１】
制御部１５は、移動体通信端末１における各種の処理を制御する。具体的には、制御部１５は、送受信部１１と符号化／復号化部１２と入出力部１３と記憶部１４とを制御する。
【０１０２】
無線制御手段１６は、特定の周波数のデータを受信および送信するように送受信部１１を制御する。
【０１０３】
アンテナ１０は、外部の通信機器から発信された特定のデータを受信し、該受信した特定のデータを送受信部１１に送信する。送受信部１１は、アンテナ１０が受信した特定のデータを符号化／復号化部１２に送信する。
【０１０４】
また、送受信部１１は、無線制御手段１６の制御により、符号化／復号化部１２が出力する送信用のデータを特定の周波数のデータに変換し、アンテナ１０から送信させる。
【０１０５】
また、無線制御手段１６は、移動体通信端末１が待ち受け状態を開始したことを判定し該待ち受け状態を開始したこと通知する待ち受け通知をデータ制御手段２１に対して行う。また、無線制御手段１６は、通話が切断されたことを判定し該通話が切断されたことをデータ制御手段２１に通知する。また、無線制御手段１６は、通話が開始されたことを判定し該通話が開始されたことをデータ制御手段２１に通知する。
【０１０６】
選択手段としてのデータ解析手段１７は、記憶部１４に保存されたデータの中からインターネット・サービス管理サーバ３に送信すべきデータ（例えば、圧縮データ）を選択する。
【０１０７】
具体例としては、データ解析手段１７は、記憶部１４に保存されたデータの中から所望の識別情報を含むデータを選択する。例えば、データ解析手段１７は、記憶部１４に保存されたデータの中からデータのＭＡＣ（Ｍｅｄｉｕｍ  Ａｃｃｅｓｓ  Ｃｏｎｔｒｏｌ）ヘッダにある送信指定識別情報を含むデータを選択する。他の例としては、データ解析手段１７は、記憶部１４に保存されたデータの中からデータのＰＤＵ（Ｐｒｏｔｏｃｏｌ  Ｄａｔａ  Ｕｎｉｔ）部分にある送信指定識別情報を含むデータを選択する。
【０１０８】
開閉検出手段１８は、移動体通信端末１が畳み折り可能である場合、移動体通信端末１の畳み折りがされたことを判定し該畳み折りがされたことをデータ制御手段２１に通知する。
【０１０９】
位置測定通知手段１９は、現在位置を測定する位置測定手段１９ａによる位置測定が開始されたことを判定し該位置測定が開始されたことをデータ制御手段２１に通知する。位置測定手段１９ａとしては、例えばＧＰＳ（Ｇｌｏｂａｌ  Ｐｏｓｉｔｉｏｎｉｎｇ  Ｓｙｓｔｅｍ：全地球測位システム）衛星から発射される電波を利用して移動体通信端末１の現在位置を測定する位置測定器を用いてもよい。
【０１１０】
表示管理手段２０は、送受信手段２３が受信したデータの保存場所を示す受信データ保存場所表示画面を表示させるための表示用信号を表示部２３に出力する。
【０１１１】
例えば、表示管理手段２０は、図１１に示すように、送受信手段２４が受信したデータを表示するデータ表示部２３ａとデータ表示部２３ａで表示されたデータの保存先を表示する保存先表示部２３ｂとを含む受信データ保存場所表示画面２３ｃを表示させるための表示用信号を出力する。
【０１１２】
他の例としては、表示管理手段２０は、図１２に示すように、送受信手段２４が受信したデータの中でインターネット・サービス管理サーバ３内の受信データ記憶部３ａに保存されているデータを表示する第１の受信データ保存場所表示画面２３ｄと送受信手段２４が受信したデータの中で記憶部１４に保存されているデータを表示する第２の受信データ保存場所表示画面２３ｅとを択一的に表示させるための表示用信号を出力する。
【０１１３】
データ制御手段２１は、無線制御手段１６からの通知、または位置測定通知手段１９からの通知、または開閉検出手段１８からの通知に応じてデータ送受信処理部２２を動作させ、データ解析手段１７が選択したデータを符号化／復号化部１２によって符号化させ、符号化したデータを送受信部１１とアンテナ１０よりインターネット・サービス管理サーバ３に送信させる。
【０１１４】
インターネット・サービス管理サーバ３は、移動体通信端末１が送信するデータを受信すると、受信したデータを受信データ記憶部３ａに保存する。
【０１１５】
次に、動作を説明する。
【０１１６】
図３は、移動体通信端末１が、受信データをインターネット・サービス・管理サーバ３に保存する動作を説明するためのシーケンス図である。以下、図３を参照して、移動体通信端末１が、受信データをインターネット・サービス・管理サーバ３に保存する動作を説明する。
【０１１７】
移動体通信端末１は、移動通信網２からデータを受信する（ステップＳ１）。具体的には、移動体通信端末１は、アンテナ１０と送受信部１１１とでデータを受信する。
【０１１８】
なお、移動体通信端末１と移動通信網２間のプロトコル処理は、既知の手段で行えばよい。また、利用者が移動体通信端末１を介して取得するデータとしては、移動通信網２を介して取得できるデータであれば特に限定するものではなく、例えば、画像データ、音声データ等の大容量のデータでもよい。
【０１１９】
移動体通信端末１は、受信したデータの受信処理とデータの解析処理およびデータの判定処理などのデータ処理を行う（ステップＳ２）。
【０１２０】
具体的には、符号化／復号化部１２は、送受信部１１から出力される受信データを復号化し、復号化した受信データを記憶部１４に保存するとともに入出力部１３に出力する。データ解析手段１７は、記憶部１４に保存されているデータを解析し、その解析結果に基づき、記憶部１４に保存されているデータの中からインターネット・サービス・管理サーバ３に送信すべきデータを選択する。
【０１２１】
次に、移動体通信端末１は、取得データを移動通信網２を介してインターネット・サービス・管理サーバ３に送信する（ステップＳ３、Ｓ４）。
【０１２２】
具体的には、データ送受信処理部２２は、データ制御手段２１の制御に基づき、データ解析手段１７が選択したデータを移動通信網２を介してインターネット・サービス・管理サーバ３に送信する。
【０１２３】
インターネット・サービス・管理サーバ３は、移動体通信端末１から受信した取得データをインターネット・サービス・管理サーバ３内の受信データ記憶部３ａに保存する（ステップＳ５）。
【０１２４】
図４は、移動体通信端末１がインターネット・サービス・管理サーバ３内の受信データ記憶部３ａに保存したデータを再取得する動作を説明するためのシーケンス図である。以下、図４を参照して、移動体通信端末１がインターネット・サービス・管理サーバ３内の受信データ記憶部３ａに保存したデータを再取得する動作を説明する。
【０１２５】
移動体通信端末１は、移動通信網２を介してインターネット・サービス・管理サーバ３にデータ取得要求を送信する（ステップＳ６、Ｓ７）。
【０１２６】
インターネット・サービス・管理サーバ３は、要求のあったデータを移動通信網２を介して移動体通信端末１に送信する（ステップＳ８、Ｓ９）。
【０１２７】
移動体通信端末１は、インターネット・サービス・管理サーバ３から送信されたデータを受信すると、受信したデータを記憶部１４に保存する。
【０１２８】
このように、移動体通信端末１が記憶部１４に保存してあるデータをインターネット・サービス・管理サーバ３に送信することで、記憶部１４に保存してあるデータをインターネット・サービス・管理サーバ３の受信データ記憶部３ａに保存することが可能となる。
【０１２９】
図５は、図２に示した移動体通信端末１が有する送受信手段２３および記憶部１４の一例を示したブロック図である。
【０１３０】
図５において、受信部としての受信バッファ制御手段５１は、移動通信網２を介してデータを受信するとともに、受信したデータを受信バッファＡ５２または受信バッファＢ５３に振り分けて保存させる機能を有する。
【０１３１】
送信部としての送信制御手段５４は、受信バッファ５２または受信バッファ５３が保存されたデータを移動通信網２を介してインターネット・サービス・管理サーバ３に送信する機能を有する。具体的には、送信制御手段５４は、複数の受信バッファのいずれかへのデータの保存の終了に伴い、受信バッファに保存されたデータを受信データ記憶部３ａに保存するために該データをインターネット・サービス・管理サーバ３に逐次送信する。
【０１３２】
なお、受信バッファ制御手段５１は、図１に示した送受信手段２３に対応する。また、受信バッファＡ５２と受信バッファＢ５３とは、図１に示した記憶部１４に対応する。また、送信制御手段５４は、図１に示した送受信手段２３に対応する。
【０１３３】
図６は、図５に示した移動体通信端末１の動作を説明するためのフローチャートである。以下、図６を参照して図５に示した移動体通信端末１の動作を説明する。
【０１３４】
受信バッファ制御手段５１は、データの受信を監視し（ステップＳ５１）、データの受信が始まると、受信バッファＡまたはＢに受信したデータを振り分ける。
【０１３５】
受信バッファ制御手段５１は、受信バッファＡに所定容量以上の空きがあれば、受信したデータを受信バッファＡに保存する（ステップＳ５２、Ｓ５３）。
【０１３６】
受信バッファ制御手段５１は、受信バッファＡに所定容量以上の空きがなければ、受信バッファＢの状態を判定する（ステップＳ５４）。
【０１３７】
受信バッファ制御手段５１は、受信バッファＢに所定容量以上の空きがあれば、受信したデータを受信バッファＢに保存する（ステップＳ５４、Ｓ５５）。
【０１３８】
次に、送信部としての送信制御手段５４は、前回受信したデータの送信処理が完了しているか確認するため、受信バッファからインターネット・サービス管理サーバ３への前回受信したデータの送信が完了したか判定する。前回受信したデータがインターネット・サービス管理サーバ３へ送信処理中であれば、送信制御手段５４は送信処理が終わるまで待つ（ステップＳ５６、Ｓ５７）。
【０１３９】
前回受信したデータのインターネット・サービス管理サーバ３へ送信が完了すると、送信制御手段５４は、受信バッファから今回受信したデータをインターネット・サービス管理サーバ３へ送信する（ステップＳ５８、Ｓ５９）。
【０１４０】
送信制御手段５４は、今回受信したデータのインターネット・サービス管理サーバ３への送信が完了すると、受信バッファに保存されている今回受信したデータをクリアする（ステップＳ６０、Ｓ６１）。
【０１４１】
インターネット・サービス・管理サーバ３は、移動体通信端末１から受信した取得データをインターネット・サービス・管理サーバ３内の受信データ記憶部３ａに保存する。
【０１４２】
なお、受信バッファ制御手段５１は、ステップＳ５４において受信バッファＢに所定容量以上の空きがなかった場合は、エラー処理を行う（ステップＳ６２）。エラー処理は、移動体通信端末１と移動通信網２間の既知プロトコルを用いて再送制御などを行えばよい。
【０１４３】
本実施例によれば、移動体通信端末１は、データを受信しながらインターネット・サービス・管理サーバ３に前回受信したデータの送信を行うことが可能となる。
【０１４４】
また、複数の受信バッファを有しているので、受信するデータの取りこぼしが発生しにくくなる。
【０１４５】
また、複数の受信バッファのいずれかへのデータの保存の終了に伴い、受信バッファに保存されたデータを受信データ記憶部３ａに保存するために該データをインターネット・サービス管理サーバ３に逐次送信するので、移動体通信端末１は、データを受信するたびに受信したデータをインターネット・サービス管理サーバ３に逐次送信できる。
【０１４６】
したがって、従来のように内蔵するメモリーの空き容量が記憶限界容量に近くなったときにメモリーに記録してあるすべての記録内容をデータサーバに自動的に送信する場合に比べて、１回の送信データ量を少なくすることが可能となる。
【０１４７】
なお、本実施例では、データ解析手段１７による送信用データの選択が不要となるが、データ解析手段１７による送信用データの選択を行う場合、データ解析手段１７による送信用データの選択は、受信したすべてのデータをインターネット・サービス・管理サーバ３へ送信すべきデータとして選択するようにすればよい。
【０１４８】
図７は、図３に示したステップＳ１とステップＳ２およびステップＳ３の動作の一例を説明するためのフローチャートである。以下、図７を参照して、移動体通信端末１が所望の種類の受信データのみをインターネット・サービス・管理サーバ３に送信する動作を説明する。なお、図７に示した動作は、図２に示した移動体通信端末１が実行する。
【０１４９】
データ送受信処理部２２は、移動通信網２から種々のデータを受信すると、受信したデータを記憶部１４に保存する（ステップＳ７１）。
【０１５０】
データ解析手段１７は、記憶部１４に保存されたデータを解析する（ステップＳ７２）。
【０１５１】
データ解析手段１７は、記憶部１４に保存されたデータの解析結果に基づき、記憶部１４に保存されたデータの中から所望の識別情報を含むデータを選択する。具体的には、データ解析手段１７は、記憶部１４に保存されたデータの中で送信を指定している識別情報を含むデータを選択する。
【０１５２】
データ制御手段２１は、データ解析手段１７が記憶部１４に保存されたデータの中で送信を指定している識別情報を含むデータを選択した場合（ステップＳ７３）、その選択したデータを受信データ記憶部３ａに保存するために、その選択したデータをデータ送受信処理部２２からインターネット・サービス管理サーバ３に送信させる（ステップＳ７４）。
【０１５３】
データ制御手段２１は、インターネット・サービス管理サーバ３に送信したデータを記憶部１４から削除する。
【０１５４】
なお、ステップＳ７４の実行タイミングは、適宜設定可能である。例えば、ステップＳ７４の実行タイミングは、受信したデータの記憶部１４への保存が完了したタイミングでもよいし、記憶部１４の残り記憶容量が記憶限界値に近づいたときでもよい。
【０１５５】
インターネット・サービス・管理サーバ３は、移動体通信端末１から受信したデータをインターネット・サービス・管理サーバ３内の受信データ記憶部３ａに保存する。
【０１５６】
データ制御手段２１は、データ解析手段１７が記憶部１４に保存されたデータの中で送信を指定している識別情報を含むデータを選択していない場合（ステップＳ７３）、送信処理を実行しない。
【０１５７】
ここで、データ解析手段１７が行う解析方法の例を説明する。
【０１５８】
図８は、３ＧＰＰのＴＳ２５．３０２およびＴＳ２５．３２１で規定されているフォーマットを元にした受信データをの一例を示した図である。なお、図８において、ＳＤＵは「Ｓｅｒｖｉｃｅ  ｄａｔａ  Ｕｎｉｔ」である。また、ＴＣＴＦは、Ｔａｒｇｅｔ  ｃｈａｎｎｅｌ  Ｔｙｐｅ  Ｆｉｅｌｄ」である。また、ＵＥ−ｉｄｔｙｐｅは「Ｕｓｅｒ  Ｅｑｕｉｐｍｅｎｔ−ｉｄｅｎｔｉｔｙ  ｔｙｐｅ」である。また、Ｃ／ＴはＣ／Ｔフィールドである。
【０１５９】
図８に示すように、受信データのＭＡＣヘッダ部分またはＰＤＵ部分に送信指定識別情報を付加している。
【０１６０】
データ解析手段１７は、この送信指定識別情報を解析してその内容を判定することにより、データの選択を行う。
【０１６１】
本実施例によれば、移動体通信端末１は、所望の種類の受信データのみをインターネット・サービス・管理サーバ３に送信することが可能となる。
【０１６２】
したがって、移動体通信端末１は、受信したデータの中でインターネット・サービス・管理サーバ３に送信するデータを選別できるので、すべての受信データをインターネット・サービス・管理サーバ３に送信する場合に比べて、インターネット・サービス・管理サーバ３に送信するデータ量を少なくすることが可能となる。
【０１６３】
図９は、図３に示したステップＳ３を実行するタイミングを説明するためのフローチャートである。
【０１６４】
以下、図９を参照して、記憶部１４に保存されているデータをインターネット・サービス・管理サーバ３に送信するタイミングを、移動体通信端末１の状態に応じたタイミングとする動作を説明する。なお、図９に示した動作は、図２に示した移動体通信端末１が実行する。
【０１６５】
無線制御手段１６は、移動体通信端末１が待ち受け動作を開始すると、待ち受け状態を開始したこと通知する待ち受け通知をデータ制御手段２１に通知する（ステップＳ９１）。
【０１６６】
データ制御部２１は、無線制御手段１６が行う待ち受け通知に応じて、記憶部１４にインターネット・サービス・管理サーバ３に送信すべきデータが保存されているか検索し、送信すべきデータが記憶部１４に保存されている場合にはそのデータをデータ送受信処理部２２からインターネット・サービス・管理サーバ３に送信させる（ステップＳ９２、Ｓ９３）。
【０１６７】
データ制御部２１は、インターネット・サービス・管理サーバ３に送信したデータを記憶部１４から削除する。
【０１６８】
なお、インターネット・サービス・管理サーバ３に送信すべきデータの一例としては、データ解析手段１７で選択された所望の識別情報を含むデータがある。
【０１６９】
また、図９に示した動作を実行する場合、データ解析手段１７は、記憶部１４に保存されているすべてのデータをインターネット・サービス・管理サーバ３に送信すべきデータとして選択するようにしてもよい。
【０１７０】
本実施例によれば、待ち受け動作の開始に応じて、インターネット・サービス・管理サーバ３へのデータの送信が実行されるので、従来のように内蔵するメモリーの空き容量が記憶限界容量に近くなったときにメモリーに記録してあるすべての記録内容をデータサーバに自動的に送信する場合に比べて、１回の送信データ量を少なくすることが可能となる。
【０１７１】
また、待ち受け動作が開始するということは、移動体通信端末１が行う通話処理または受信処理が実行されていないことなので、インターネット・サービス・管理サーバ３へのデータの送信処理と、通話処理または受信処理とが重ならず、移動体通信端末１において処理が一時的に増大することを防止可能となる。
【０１７２】
図９に示した動作では、インターネット・サービス・管理サーバ３へデータを送信するタイミングを待ち受け動作開始に応じたタイミングとしたが、インターネット・サービス・管理サーバ３へデータを送信するタイミングを通話の切断に応じたタイミングとしてもよい。
【０１７３】
この場合、データ制御手段２１は、無線制御手段１６が行う通話が切断されたことの通知に応じて、記憶部１４にインターネット・サービス・管理サーバ３に送信すべきデータが保存されているか検索し、送信すべきデータが記憶部１４に保存されている場合にはそのデータをデータ送受信処理部２２からインターネット・サービス・管理サーバ３に送信させる。
【０１７４】
なお、インターネット・サービス・管理サーバ３に送信すべきデータの一例としては、データ解析手段１７で選択された所望の識別情報を含むデータがある。
【０１７５】
また、通話の切断に応じてインターネット・サービス・管理サーバ３へのデータの送信を実行する場合、データ解析手段１７は、記憶部１４に保存されているすべてのデータをインターネット・サービス・管理サーバ３に送信すべきデータとして選択してもよい。
【０１７６】
本実施例によれば、通話の切断に応じて、インターネット・サービス・管理サーバ３へのデータの送信が実行されるので、従来のように内蔵するメモリーの空き容量が記憶限界容量に近くなったときにメモリーに記録してあるすべての記録内容をデータサーバに自動的に送信する場合に比べて、１回の送信データ量を少なくすることが可能となる。
【０１７７】
また、通話が切断されたということは、移動体通信端末１が行う通話処理（受信処理）が実行されていないことなので、インターネット・サービス・管理サーバ３へのデータの送信処理と、通話処理（受信処理）とが重ならず、移動体通信端末１において処理が一時的に増大することを防止可能となる。
【０１７８】
また、インターネット・サービス・管理サーバ３へデータを送信するタイミングを通話の開始に応じたタイミングとしてもよい。
【０１７９】
この場合、データ制御手段２１は、無線制御手段１６が行う通話が開始されたことの通知に応じて、記憶部１４にインターネット・サービス・管理サーバ３に送信すべきデータが保存されているか検索し、送信すべきデータが記憶部１４に保存されている場合にはそのデータをデータ送受信処理部２２からインターネット・サービス・管理サーバ３に送信させる。
【０１８０】
なお、記憶部１４に保存されているデータの中でインターネット・サービス・管理サーバ３に送信すべきデータの一例としては、データ解析手段１７で選択された所望の識別情報を含むデータがある。また、通話の切断に応じてインターネット・サービス・管理サーバ３へのデータの送信を実行する場合、データ解析手段１７は、記憶部１４に保存されているすべてのデータをインターネット・サービス・管理サーバ３に送信すべきデータとして選択してもよい。
【０１８１】
また、移動体通信端末１が本体を折り畳むことが可能な畳み折り機能を有する移動体通信端末の場合、インターネット・サービス・管理サーバ３へデータを送信するタイミングを、移動体通信端末１が畳み折りされたことに応じたタイミングとしてもよい。
【０１８２】
この場合、データ制御手段２１は、開閉検出手段１８が行う移動体通信端末１の畳み折りがされたことの通知に応じて、記憶部１４にインターネット・サービス・管理サーバ３に送信すべきデータが保存されているか検索し、送信すべきデータが記憶部１４に保存されている場合にはそのデータをデータ送受信処理部２２からインターネット・サービス・管理サーバ３に送信させる。
【０１８３】
なお、インターネット・サービス・管理サーバ３に送信すべきデータの一例としては、データ解析手段１７で選択された所望の識別情報を含むデータがある。また、移動体通信端末１の畳み折りに応じてインターネット・サービス・管理サーバ３へのデータの送信を実行する場合、データ解析手段１７は、記憶部１４に保存されているすべてのデータをインターネット・サービス・管理サーバ３に送信すべきデータとして選択してもよい。
【０１８４】
本実施例によれば、移動体通信端末１の畳み折りに応じて、インターネット・サービス・管理サーバ３へのデータの送信が実行されるので、従来のように内蔵するメモリーの空き容量が記憶限界容量に近くなったときにメモリーに記録してあるすべての記録内容をデータサーバに自動的に送信する場合に比べて、１回の送信データ量を少なくすることが可能となる。
【０１８５】
また、移動体通信端末１が畳み折りされたときは、移動体通信端末１が通話処理（受信処理）を実行していない可能性が高いので、インターネット・サービス・管理サーバ３へのデータの送信処理と、通話処理（受信処理）とが重ならず、移動体通信端末１において処理が一時的に増大することを防止可能となる。
【０１８６】
また、移動体通信端末１が現在位置測定機能を有する移動体通信端末１の場合、インターネット・サービス・管理サーバ３へデータを送信するタイミングを、現在位置の測定が開始されたことに応じたタイミングとしてもよい。
【０１８７】
この場合、データ制御手段２１は、位置測定通知手段１９が行う位置測定が開始されたことの通知に応じて、記憶部１４にインターネット・サービス・管理サーバ３に送信すべきデータが保存されているか検索し、送信すべきデータが記憶部１４に保存されている場合にはそのデータをデータ送受信処理部２２からインターネット・サービス・管理サーバ３に送信させる。
【０１８８】
なお、インターネット・サービス・管理サーバ３に送信すべきデータの一例としては、データ解析手段１７で選択された所望の識別情報を含むデータがある。また、位置測定の開始に応じてインターネット・サービス・管理サーバ３へのデータの送信を実行する場合、データ解析手段１７は、記憶部１４に保存されているすべてのデータをインターネット・サービス・管理サーバ３に送信すべきデータとして選択してもよい。
【０１８９】
本実施例によれば、位置測定の開始に応じて、インターネット・サービス・管理サーバ３へのデータの送信が実行されるので、従来のように内蔵するメモリーの空き容量が記憶限界容量に近くなったときにメモリーに記録してあるすべての記録内容をデータサーバに自動的に送信する場合に比べて、１回の送信データ量を少なくすることが可能となる。
【０１９０】
図１０は、図３に示したステップＳ２およびステップＳ３の動作の一例を説明するためのフローチャートである。以下、図１０を参照してインターネット・サービス・管理サーバ３へ送信するデータの変換処理を説明する。なお、図１０に示した動作は、図２に示した移動体通信端末１が実行する。
【０１９１】
データ制御手段２１は、記憶部１４に保存されているデータの中でデータ解析手段１７が選択したデータを符号化／復号化部１２へ入力させる（ステップＳ１０１）。
【０１９２】
符号化／復号化部１２は、入力されたデータを符号化する圧縮処理を行う（ステップＳ１０２）。
【０１９３】
ステップＳ１０２で行う符号化処理（圧縮処理）としては、例えばＭＰＥＧ−４、ＭＰＥＧ−２などの既知の圧縮処理が用いられる。
【０１９４】
なお、データ解析手段１７が、記憶部１４に保存されているデータの中からインターネット・サービス・管理サーバ３に送信すべき符号化データ（圧縮データ）を選択し、符号化／復号化部１２が、データ解析手段１７で選択された符号化データ（圧縮データ）を復号化（解凍）し、解凍したデータを所望の符号化方式（圧縮処理）による符号化（圧縮処理）を行うようにしてもよい。
【０１９５】
また、符号化／復号化部１２が、データ解析手段１７で選択された符号化データ（圧縮されたデータ）を復号化してもよい。
【０１９６】
符号化／復号化部１２にて処理されたデータは、送受信部１１とアンテナ１０により、インターネット・サービス・管理サーバ３に送信される（ステップＳ１０３）。
【０１９７】
なお、圧縮したデータをインターネット・サービス・管理サーバ３に送信する場合、データ解析手段１７は、記憶部１４に保存されているすべてのデータをインターネット・サービス・管理サーバ３に送信すべきデータとして選択してもよい。
【０１９８】
本実施例によれば、移動体通信端末１は、受信データを符号化（圧縮処理）した上でインターネット・サービス・管理サーバ３にデータを送信するので、非圧縮のデータをインターネット・サービス・管理サーバ３に送信する場合に比べて、送信するデータ量を少なくすることが可能となる。また、データ圧縮を行うことで、利用者はデータを移動体通信端末以外からも利用することができ、移動体通信端末の利便性が上がる。
【０１９９】
また、図１０に示したステップＳ１０２において、符号化／復号化部１２にて符号化（圧縮）または復号化（解凍）を行わず、識別情報付加手段としての符号化／復号化部１２が、符号化／復号化部１２に入力するデータに対して図８に示したようなＭＡＣヘッダ、ＰＤＵに識別情報を付加するようにしてもよい。
【０２００】
符号化／復号化部１２に入力するデータに対して識別情報を付加することで、次回、インターネット・サービス・管理サーバ３から所望のデータを受信する場合、受信したデータを自動的にインターネット・サービス・管理サーバ３に送信する動作、または受信したデータを自動的にインターネット・サービス・管理サーバ３に送信しない動作を実行させることが可能となる。
【０２０１】
図１１および図１２は、移動体通信端末１の受信データ管理および表示方法を説明するための説明図である。以下、図１１と図１２を参照して、移動体通信端末１の受信データ管理および表示方法を説明する。
【０２０２】
図２に示した表示管理手段２０は、表示部としての入出力部１３に表示する受信データ一覧画面において各受信データの属性、例えば、ファイル名、ファイルサイズ、受信日時、発信元情報などを表示する機能を有する。
【０２０３】
さらに、表示管理手段２０は、受信したデータの保存場所を示す受信データ保存場所表示画面を表示させるための表示用信号を出力する。
【０２０４】
具体的には、表示管理手段２０は、入出力部１３に表示されるデータ一覧画面表示において、データの保存場所が移動体通信端末１に具備されている記憶部１４か、インターネット・サービス・管理サーバ３内の受信データ記憶部３ａのどちらであるかに応じて、受信データに文字や記号などを付加する表示をさせるための表示用信号を入出力部１３に出力することにより、利用者に受信データの保存場所の明示を行う。
【０２０５】
図１１は、表示管理手段２０が出力する表示用信号に基づき入出力部１３に表示される画面の一例を示した説明図であり、特には、受信データ単位に保存場所の明示を行う表示形態の一例を示した説明図である。
【０２０６】
図１１において、受信データ保存場所表示画面２３ｃは、受信したデータを表示するデータ表示部２３ａとデータ表示部２３ａで表示されたデータの保存先を表示する保存先表示部２３ｂとを含む。
【０２０７】
受信データとしてのデータＡがインターネット・サービス・管理サーバ３内の受信データ記憶部３ａに保存されている場合、データ表示部１３ａとしてのデータＡの隣に保存先表示部１３ｂとしての「Ｗｅｂ」表示を付加する（図１１参照）。また、受信データとしてのデータＣが移動体通信端末１に具備されている記憶部１４に保存されている場合、データ表示部１３ａとしてのデータＣの隣に保存先表示部１３ｂとしての「自」表示を付加する（図１１参照）。
【０２０８】
なお、保存先表示部１３ｂは、保存場所を明示できるものであれば適宜変更可能であり、例えば、文字または記号を使用してもよい。
【０２０９】
図１２は、表示管理手段２０が出力する表示用信号に基づき入出力部１３に表示される画面の他の一例を示した説明図であり、特には、保存場所による階層表示を行う例を示した説明図である。
【０２１０】
図１２（ａ）で示した画面Ａは、インターネット・サービス・管理サーバ３内の受信データ記憶部３ａに保存されているデータの一覧を表示する。また、図１２（ｂ）で示した画面Ｂは、移動体通信端末１に具備されている記憶部１４に保存されているデータの一覧を表示する。
【０２１１】
本実施例によれば、受信したデータの保存場所を示す受信データ保存場所表示画面が表示されるので、例えば、移動体通信端末１に具備されている記憶部１４からデータを読み出す時間に比べてインターネット・サービス・管理サーバ３内の受信データ記憶部３ａから読み出す時間の方が長くなる場合、利用者はあらかじめ読み出す時間を想定できるため、利用者の利便性を向上することができる。
【０２１２】
以上説明した各実施例において、図示した構成は単なる一例であって、本発明はその構成に限定されるものではない。
【０２１３】
例えば、インターネット・サービス・管理サーバ３へデータを送信するタイミングを無線制御手段１６が行う通知に応じたタイミングとした場合、位置測定通知手段１９と開閉検出手段１８とを省略してもよい。
【０２１４】
また、インターネット・サービス・管理サーバ３へデータを送信するタイミングを位置測定通知手段１９が行う通知に応じたタイミングとした場合、開閉検出手段１８を省略してもよい。
【０２１５】
また、インターネット・サービス・管理サーバ３へデータを送信するタイミングを開閉検出手段１８が行う通知に応じたタイミングとした場合、位置測定通知手段１９を省略してもよい。
【０２１６】
また、インターネット・サービス・管理サーバ３へデータを送信するタイミングを、無線制御手段１６が行う通知と位置測定通知手段１９が行う通知と開閉検出手段１８が行う通知との中から任意に選択した複数の通知に応じたタイミングとしてもよい。
【０２１７】
【発明の効果】
本発明によれば、以下の効果を奏し得る。
【０２１８】
第１の効果は、移動体通信端末からサーバへデータを送信する際の１回の送信データ量を少なくすることが可能となる。
【０２１９】
その理由は、移動体通信端末が必要なデータのみをサーバへ送信したり、または移動体通信端末が通信状況の変化に応じて送信実行タイミングを決定したり、または移動体通信端末がデータを圧縮し圧縮したデータをサーバへ送信したりするからである。
【０２２０】
第２の効果は、移動体通信端末からサーバへのデータ送信が、利用者の意図的な操作を必要とせずに実行されることである。
【０２２１】
その理由は、移動体通信端末が、データ内容、通信その他使用状況を判定し、転送の実行タイミングを決定するからである。
【０２２２】
また、それに伴い、利用者は移動体通信端末の具備する記憶部の空き容量を気にすることがなくなり、移動体通信端末の利便性が上がる。
【０２２３】
第３の効果は、移動体通信端末からサーバへのデータ転送のトラフィックを削減することである。
【０２２４】
その理由は、移動体通信端末が、データを圧縮し、圧縮したデータをサーバへ送信するからである。
【図面の簡単な説明】
【図１】本発明の一実施例である記憶容量管理システムの構成を示したブロック図である。
【図２】図１における移動体通信端末１の構成を示したブロック図である。
【図３】図１に示した記憶容量管理システムの処理動作を説明するためのシーケンス図である。
【図４】図１に示した記憶容量管理システムの処理動作を説明するためのシーケンス図である。
【図５】図１に示した移動体通信端末１の一部の一例を示したブロック図である。
【図６】図５に示した移動体通信端末１の受信処理および送信処理を説明するためのフローチャートである。
【図７】図３に示したステップＳ１とステップＳ２とステップＳ３の処理の一例を説明するためのフローチャートである。
【図８】図２に示した移動体通信端末１が受信するデータの一例を説明するための説明図である。
【図９】図３に示したステップＳ３の実行タイミングを説明するためのフローチャートである。
【図１０】図３に示したステップＳ２およびステップＳ３の処理の一例を説明するためのフローチャートである。
【図１１】図２に示した移動体通信端末１の表示の一例を説明するための説明図である。
【図１２】図２に示した移動体通信端末１の表示の他の例を説明するための説明図である。
【図１３】従来の移動体通信端末の構成を示すブロック図である。
【図１４】従来の記憶容量管理システムの処理動作を説明するためのシーケンス図である。
【符号の説明】
１      移動体通信端末
２      移動通信網
３      インターネット・サービス・管理サーバ
４      データ制御部
５      データ受信処理部
６      データ送信処理部
１０      アンテナ
１１      送受信部
１２      符号化／復号化部
１３      入出力部
１４      記憶部
１５      制御部
１６      無線制御手段
１７      データ解析手段
１８      開閉検出手段
１９      位置測定通知手段
２０      表示管理手段
２１      データ制御手段
２２      データ送受信処理部
２３      送受信手段
５１      受信バッファ制御手段
５２      受信バッファ
５３      受信バッファ
５４      送信バッファ制御手段
【図１】
2004343412.tif 000003
【図２】
2004343412.tif 000004
【図３】
2004343412.tif 000005
【図４】
2004343412.tif 000006
【図５】
2004343412.tif 000007
【図６】
2004343412.tif 000008
【図７】
2004343412.tif 000009
【図８】
2004343412.tif 000010
【図９】
2004343412.tif 000011
【図１０】
2004343412.tif 000012
【図１１】
2004343412.tif 000013
【図１２】
2004343412.tif 000014
【図１３】
2004343412.tif 000015
【図１４】
2004343412.tif 000016